(57)【要約】【課題】  パチンコ機のマグネットを使った不正の検知を遊技機の遊戯エリアのガラス面で検知する。これまでは、遊戯面の裏側にホール素子等の磁気センサーを設置し検知していた。【解決手段】  遊戯面にある金属球の表側のガラス面に検知機能を持たせる。これまでは正面ガラス−金属球−センサーという構成だが、今回は正面ガラス−  センサー−金属球という構成とする。  ２枚あるガラスの表側ガラスの裏面に導電体を配線したプラスチックフィルムを形成し構成する。【選択図】図６
2017121266.tif 000002
【特許請求の範囲】
【請求項１】
金属球を発射し盤面に飛び出させ遊戯するパチンコ遊技機において、遊戯盤面の表側にあるガラスに導電性薄膜パターンを形成し、マグネットを近づけた時の誘起電流を検知し、マグネットによる不正を検知するようにした事を特徴とするもの。
【請求項２】
請求項１．において、マグネットが固定された時でも、金属球が動くことで電磁誘導現象を検知する事を特徴とするもの。
【請求項３】
請求項１．において、２枚ある正面のガラスの表側ガラスの裏面に透明電極（ＩＴＯ膜）のパターンを構成した事を特徴とするもの。
【請求項４】
請求項１．において、２枚ある正面のガラスの表側ガラスの裏面に金属細線を構成したフィルムを貼合した事を特徴とするもの。
【請求項５】
請求項１．において、２枚ある正面のガラスのうしろ側ガラスの正面側に透明電極（ＩＴＯ膜）のパターンを構成した事を特徴とするもの。
【請求項６】
請求項１．において、２枚ある正面のガラスのうしろ側ガラスの正面側に金属細線を構成したフィルムを貼合した事を特徴とするもの。
【請求項７】
請求項１において、フィルムに金属薄膜を形成し、これをエッチングで細線を構成するようにしたことを特徴にしたもの。
【発明の詳細な説明】
【発明の詳細な説明】
【技術分野】
【０００１】  本発明は、パチンコ遊技機に継続して行われている、マグネットを使った不正の検知に関するものである。
【背景技術】
【０００２】  従来のパチンコ遊技機は遊戯のために釘や風車を取り付けるベニヤ板もしくはアクリル板の裏面、またはベニヤ板を刳り抜いて、ホール素子等の磁気検知素子を設置し不正を検知している。この方式はマグネットで不正を行う時に、マグネットの対象となる金属球より離れた位置に設置されている為、微小な磁気レベルを検知する必要がある。出来るだけ広い範囲の検知をしたいが、磁気センサーが遊技機表面のガラス面から放れた場所にあり、小さい検知エリアとなり、検知範囲が狭いことになり、磁石による不正を検知出来ないということになりやすい。【０００３】  磁石による不正の内容も遊技機の不正対策内容により変化し、磁気センサーを避けた不正が報告されており、遊技機盤面全体の磁気による不正の検知を行う必要になってきた。【０００４】
【特許文献１】特開２００５−１３７８７７
【発明の概要】
【課題を解決しようとする課題】
【０００５】  従来の磁石による不正検知の磁気センサーは、遊技機表面のガラスや金属球が移動する空間の奥の位置に配置されている。
【０００６】  本発明の目的は、磁石による不正が行われるガラス表面と金属球が移動する盤面の間に、磁気センサーを広範囲に配置し、磁石による不正を検知することを提案することにある。
【課題を解決する為の手段】
【０００７】  遊技機において、ガラス表面と金属球が移動する盤面との間には、通常、２枚のガラスがあるだけである。そこで、ガラス表面に透明導電体部や、細くて識別しにくい導電体部を設け、この導電体部と電流計と閉回路をつくり、不正の為の磁石が近づいた時に、電磁誘導により発生した電流を検出するようにしたものである。
【０００８】  透明導電体としては、「ＩＴＯ（酸化インジウム・スズ）」が代表的で、スパッタ法等でＩＴＯ層を成膜し、エッチングでパターン化されて使用する。細くて識別しにくい導電体としては、厚さ１〜３ミクロンの銅箔をフィルムに成膜したものを、パターン幅３〜８ミクロン、パターン間隔０．５〜２ｍｍでエッチングすることで実現できる。
【発明の効果】
【０００９】  パチンコ遊技機の、遊戯盤面の表側にあるガラスに導電性薄膜パターンを形成することにより、マグネットを近づけた時や離れた時の誘起電流を検知し、マグネットによる不正を検知できるようになる。
【００１０】  同じ様に、ガラスに導電性薄膜パターンを形成することにより、マグネットがある状態で、金属球が通過した時の誘起電流を検知し、マグネットによる不正を検知できるようになる。
【００１１】  ２枚あるガラスの表側に導電性薄膜パターンを設けると、磁石の近接や離脱する時の感度が上がり、２枚あるガラスの後側に導電性薄膜パターンを設けると、磁石がある状態で金属球が通った時の感度が上がることになる。
【００１２】  導電性薄膜としてＩＴＯを使用すると透明性が上がり、センサーの目での判別がしにくくなる。
【００１３】  導電性薄膜として金属箔をエッチングした材料を使用すると電気抵抗が低下でき、センサーの磁石検知能力が向上する効果がある。
【００１４】  導電性薄膜として金属箔をエッチングした材料を使用した時、対向するパターンの間隔を５から１５ｍｍ広げ、間にダミーパターンを設けると、感度の向上と目による判別がしにくくなる効果がある。
【００１５】  概円形のガラスのコーナー部に検知回路ブロック、少なくともアンプ回路を配置することで、センサーの微弱信号を引き回す事無く増幅することが出来、対ノイズ性能を向上させる効果がある。
【図面の簡単な説明】
【符号の説明】
【００１６】  図１に遊技機の外観を示す。図２に遊技機の遊戯面の断面図を示す。
遊技機の表面（遊戯者側）にはガラスが２枚１１ａ、１１ｂが在り、その裏側には金属球が飛び出し、釘に当たりながら弾ける遊戯スペースがあり、その裏には、釘やを取り付けたベニヤ板やアクリル板からなる盤面がある。
これまでのホール素子等を使った磁気検知は、この盤面の裏や盤面の中に配置されており、約３０ｍｍ程度ガラス表面から離れた位置で検知することになっていた。【００１７】  図２では、２枚あるガラスの表側１１ａの裏面に導電体パターンのセンサーが配置されている。この場合は、導電体センサーが遊戯者に傷つけられる事無く、且つ、磁石による不正を検出できることになる。【００１８】  図３では、２枚あるガラスの内側１１ｂの表面に導電体パターンのセンサーが配置されている。この場合は、導電体センサーが遊戯者に傷つけられる事無く、且つ、磁石が固定されている時に金属球が動くことで不正を検出できることになる。【００１９】  導電体センサーについて説明を行う。
ＩＴＯを使ったセンサーでは、ＩＴＯをガラスに直接スパッタリングや蒸着させ、エッチングにより、パターンを形成する方法と、ＩＴＯを一度フィルムに同上の方法で形成し、それをエッチングでパターンを形成したものを、ガラスに透明粘着材（ＯＣＡ）で貼合する方法がある。【００２０】  図４に銅メッシュを使用するセンサーを示す。銅箔の厚さは１〜３ミクロンで、フィルム上に銅箔を形成し、導体幅４〜１０ミクロン、導体間隔５００〜１５００ミクロンでメッシュを構成すればほとんどパターンは識別できず、透明と感じる。この加工はエッチングで加工できる。このメッシュ加工と同時に、パターンの形成を行うことが出来る。メッシュとパターンを形成したフィルムを、遊技機ガラスに透明粘着材で貼合する事で実現できる。【００２１】  図５に導電体センサーを使った電磁誘導現象を活用した磁石検知の回路構成を示す。
遊技機ガラス面に形成した銅メッシュパターンと検出抵抗との閉回路を形成し、電磁誘導による電流が流れる回路を構成する。【００２２】  電磁誘導による電流により検出抵抗に発生して電圧を増幅器（Ａｍｐ）により増幅しフィルターにより不要な信号を除去する。フィルターにより除去する信号は、５０Ｈｚ、６０Ｈｚの商用電源の周波数信号や静電気放電による信号等である。【００２３】  静電気放電によるノイズは高周波数である為、５０Ｈｚ以上の信号を除去するようなフィルターの特性でも可である。【００２４】  信号判断回路で磁石の近接、移動、離脱や金属球の移動を判断するようにする。【００２５】  図７〜図１０は導電体センサーのパターン例を示す。図７で７Ｃはダミーパターンであり同一パターンの折り返し部や隣のパターンとの間に設置する。検知電流が対向する箇所はパターン間隔を空けたいがパターンの無い部分を作るとパターンの有無が目で判別出来る様になる為、電気的には接続されていないパターンを配置しておくことが望ましい。【００２６】  図８〜図１０でも同一箇所にダミーパターンを設けることが望ましい。
【図面の簡単な説明】
【００２７】
【図１】遊技機の全体図
【図２】遊戯面の断面図である。センサーは表ガラスの内側に設置されている。
【図３】遊戯面の断面図である。センサーは後ガラスの内側に設置されている。
【図４】センサーであるメッシュパターンの一部を示している。
【図５】センサーであるメッシュパターンで細いパターンを何本か束ねている。
【図６】センサーと検知回路ブロック図を示す。
【図７】電磁誘導現象を検知するセンサーの概略パターン図である。
【図８】電磁誘導現象を検知するセンサーの概略パターン図である。
【図９】電磁誘導現象を検知するセンサーの概略パターン図である。
【図１０】電磁誘導現象を検知するセンサーの概略パターン図である。
【符号の説明】
【００２８】１      遊技機
２      遊戯部分
３      ガラス
３ａ    表ガラス
３ｂ    後ガラス
４      導電パターンセンサー
５      盤面
６      金属球
７      導電パターンを金属メッシュで構成した時のパターン例
７ａ    端部の集電体
７ｂ    何本か束ねられた導電パターン
８      検出抵抗
９      アンプ
１０    フィルター
１１    信号判定回路
【図１】
2017121266.tif 000003
【図２】
2017121266.tif 000004
【図３】
2017121266.tif 000005
【図４】
2017121266.tif 000006
【図５】
2017121266.tif 000007
【図６】
2017121266.tif 000008
【図７】
2017121266.tif 000009
【図８】
2017121266.tif 000010
【図９】
2017121266.tif 000011
【図１０】
2017121266.tif 000012